(57)【特許請求の範囲】
【請求項１】
第１給水として浄水を供給する第１給水経路と、
第２給水を給水する第２給水経路と、
前記第１給水経路に設けられ、水に抗菌性を有する物質を添加して抗菌水を生成する抗菌水生成手段と、
前記抗菌水生成手段よりも前記第１給水の水源側の位置で、前記第１給水経路と連結される第３給水経路と、
を備え、前記第１給水経路から供給される浄水を、前記第２給水経路に通水可能とし、
前記第１給水経路から前記第２給水経路に通水される浄水は、前記抗菌水生成手段により生成される抗菌水であり、
前記第２給水は、前記第１給水経路と前記第３給水経路を通って給水され、前記第２給水は前記抗菌水生成手段により抗菌性を有する物質を添加されることを特徴とする給水装置。
【請求項２】
前記第２給水を給水した後で、前記抗菌水を、前記第２給水経路に通水することを特徴とする請求項1 に記載の給水装置。
【請求項３】
第１給水として浄水を供給する第１給水経路と、
第２給水を給水する第２給水経路と、
前記第１給水経路に設けられ、水に抗菌性を有する物質を添加して抗菌水を生成する抗菌水生成手段と、
給水対象に給水する時間を設定する給水開始タイマーと、
を備え、前記第１給水経路から供給される浄水を、前記第２給水経路に通水可能とするとともに、前記第１給水経路から前記第２給水経路に通水される浄水を、前記第２給水の水源に供給可能とし、
前記第１給水経路から前記第２給水経路に通水される浄水は、前記抗菌水生成手段により生成される抗菌水であり、
前記給水開始タイマーが設定されると、前記抗菌水生成手段により生成される抗菌水を前記第１給水経路から前記第２給水経路を通して、前記第２給水の水源に供給することを特徴とする給水装置。
【請求項４】
前記第１給水経路と前記第２給水経路とのうち少なくとも一方から供給される水を通水できる通水経路と、
前記第１給水経路と、前記第２給水経路と、前記通水経路とのうちから２経路を連結し、且つ、その組合せを切り替えることができる連結経路切り替え手段と、を備えることを特徴とする請求項１から請求項３のいずれか１項に記載の給水装置。
【請求項５】
請求項１から請求項４のいずれか1項に記載の給水装置を備えた装置。
【発明の詳細な説明】
【技術分野】
【０００１】
本発明は、給水対象（例えば、洗濯物、トイレなど）に水を給水する給水装置と、それを備えた装置に関する。
【背景技術】
【０００２】
近年、環境意識の高まりにともない、トイレの洗浄水や、洗濯を行う際に風呂の湯船（以下、「浴槽」と呼ぶこともある）に残っている風呂の残り湯（以下、単に「風呂水」と呼ぶこともある）を使用することが増加している。例えば、洗濯機に風呂水を給水するために風呂水ホースが使用されることが多い。風呂水を使用すれば、節水することができる。また、水道栓から供給される水道水などの上水よりも水温が高い場合が有り、洗浄効果を向上させることができる。
【０００３】
しかしながら、風呂の残り湯は、水道水などの上水に消毒のために添加されている残留塩素が失われており、人体由来の汗や皮脂などの有機物を含み、また、温度も菌の繁殖に適した４０〜３０℃である期間が長いため、非常に細菌が繁殖しやすい環境にある。実際、風呂に給水する水道水に含まれる一般細菌の菌数は、水道法に基づく「水質基準項目」によって１００ＣＦＵ／ｍＬ以下と規定されており、ほとんど含まれていない。一方、入浴後に一晩放置した風呂水に含まれる菌数は、１０5〜6ＣＦＵ／ｍＬとなることもある。このような菌を多く含んだ水で洗濯を行うと、洗濯物の臭気の原因になることが知られている。このような臭気の原因となっているのは、有機物が菌の代謝にともなって分解されて生じた低分子の有機物である。
【０００４】
このような問題を解決するために、例えば、特開平１１−２８４７３号公報（特許文献１）では、風呂水を便器の洗浄水タンクへと流通させる通水路に、殺菌手段を設けて、風呂水を殺菌して殺菌水を生成し、洗浄水タンクへと送り、風呂水がなければ、洗浄水タンクに水道水を送る、風呂の残り湯再利用装置が記載されている。
【０００５】
また、特開２００２−１２６７２３号公報（特許文献２）では、風呂水が流通する通水路に脱臭剤及び殺菌剤が充填されたカートリッジを配置し、風呂水が洗濯槽内に注入される前に風呂水中の臭い成分を脱臭し、殺菌剤が所定量徐放されることで、風呂水の殺菌が行われる。
【０００６】
また、特開２００２−３０１２９５号公報（特許文献３）では、風呂水供給手段の経路の途中に、通過する風呂水に、漂白剤、除菌剤、芳香剤などの洗濯補助剤を投入する手段を設けて、風呂水の殺菌を行っている。
【０００７】
また、特開２００３−１０５８８号公報（特許文献４）では、洗濯槽および外槽内で作り、その洗浄液に風呂水給水ホースをつけおき、そのつけおき中に洗濯槽を間欠的に回転させることで、風呂水給水ホースの洗浄を行っている。
【０００８】
また、特開平８−４７５４８号公報（特許文献５）では、消火栓から消火用水を導くホース配管（仮に第１ホース配管と呼ぶ）と、河川や池等から消火用水を導くホース配管（仮に第２ホース配管と呼ぶ）とが設けられた消防車が記載されている。
【特許文献１】特開平１１−２８４７３号公報
【特許文献２】特開２００２−１２６７２３号公報
【特許文献３】特開２００２−３０１２９５号公報
【特許文献４】特開２００３−１０５８８号公報
【特許文献５】特開平８−４７５４８号公報
【発明の開示】
【発明が解決しようとする課題】
【０００９】
しかしながら、特開平１１−２８４７３号公報（特許文献１）や、特開２００２−１２６７２３号公報（特許文献２）や、特開２００２−３０１２９５号公報（特許文献３）では、殺菌される前の風呂水のように多くの菌を含む水が、風呂水ホースなどの風呂水が通水する経路内に残留することがあり、このような場合、風呂水が通水する経路内に菌やカビが繁殖する可能性があった。また、特開平８−４７５４８号公報（特許文献５）では、異なる２つの水源から水を得て、放水配管から放水できるようになっているが、河川や池などの水には細菌などが含まれているため、ホース配管内にこのような水が残ると、ホース配管内にてカビやヌメリが発生するという問題があった。
【００１０】
また、風呂水に含まれる毛髪などの固形物が、ポンプに絡まったり、洗濯物に付着したりするのを防ぐために、フィルターが風呂水ホースの給水口に備えられているが、このフィルターにも菌やカビが繁殖したり、固形物が詰まったりするため、定期的に洗わなければならないという問題があった。
【００１１】
特開２００３−１０５８８号公報（特許文献４）では、風呂水給水ホースの洗浄を行っているが、風呂水給水ホースを洗濯槽につけおきした上で洗浄しなければならず、手間がかかるという問題があった。
【００１２】
本発明の目的は、上記問題を鑑みてなされたものであり、風呂水から給水を行う風呂水ホースなど、浄水以外の給水源からも給水可能な給水装置の内部を清潔に保つことができる給水装置及びそれを備えた装置を提供することである。
【課題を解決するための手段】
【００１３】
本発明の給水装置は、第１給水として浄水を供給する第１給水経路と、第２給水を給水する第２給水経路と、前記第１給水経路に設けられ、水に抗菌性を有する物質を添加して抗菌水を生成する抗菌水生成手段と、前記抗菌水生成手段よりも前記第１給水の水源側の位置で、前記第１給水経路と連結される第３給水経路と、を備え、前記第１給水経路から供給される浄水を、前記第２給水経路に通水可能とし、前記第１給水経路から前記第２給水経路に通水される浄水は、前記抗菌水生成手段により生成される抗菌水であり、前記第２給水は、前記第１給水経路と前記第３給水経路を通って給水され、前記第２給水は前記抗菌水生成手段により抗菌性を有する物質を添加されることを特徴とする。
【００１４】
この構成によると、第２給水経路に浄水の供給源（例えば、水道栓など）から得られる浄水（例えば、水道水などの上水）を通水することができるので、第２給水経路内に残留している浄水以外の水（例えば、風呂水、川の水、池の水など）を洗い流すことにより菌やカビの繁殖を抑えることができる。また、抗菌水により、第２給水経路内を殺菌・抗菌することができる。さらに、浄水以外の給水源である第２給水源から給水される水にも抗菌性を有する物質を添加させて抗菌水とすることができ、抗菌水を給水することができる。
【００１５】
この発明の給水装置においては、前記第２給水を給水した後で、前記抗菌水を、前記第２給水経路に通水することが好ましい。
【００１６】
このような構成にすれば、浄水以外の水（例えば、風呂水、川の水、池の水など）を使用した後で、第２給水経路内に残留している浄水以外の水を洗い流すことができるので、容易に洗浄することが可能となり、第２給水経路内にカビや菌が繁殖する可能性を低減することができる。
【００１７】
また本発明の給水装置は、第１給水として浄水を供給する第１給水経路と、第２給水を給水する第２給水経路と、前記第１給水経路に設けられ、水に抗菌性を有する物質を添加して抗菌水を生成する抗菌水生成手段と、給水対象に給水する時間を設定する給水開始タイマーと、を備え、前記第１給水経路から供給される浄水を、前記第２給水経路に通水可能とするとともに、前記第１給水経路から前記第２給水経路に通水される浄水を、前記第２給水の水源に供給可能とし、前記第１給水経路から前記第２給水経路に通水される浄水は、前記抗菌水生成手段により生成される抗菌水であり、前記給水開始タイマーが設定されると、前記抗菌水生成手段により生成される抗菌水を前記第１給水経路から前記第２給水経路を通して、前記第２給水の水源に供給することを特徴とする。
【００１８】
この構成によると、第２給水経路に浄水の供給源（例えば、水道栓など）から得られる浄水（例えば、水道水などの上水）を通水することができるので、第２給水経路内に残留している浄水以外の水（例えば、風呂水、川の水、池の水など）を洗い流すことにより菌やカビの繁殖を抑えることができる。また、抗菌水により、第２給水経路内を殺菌・抗菌することができる。また、第２給水の水源（以下、「第２給水源」と呼ぶこともある）に浄水または抗菌水を供給することができる。例えば、第２給水源が風呂の残り湯や貯留した雨水などであれば、残り湯や雨水などに抗菌水を供給することで、残り湯や雨水などを殺菌・抗菌することができる。さらに、給水を開始する前に、浄水以外の給水源である第２給水源に抗菌水を供給して、予め、第２給水源の水を殺菌しておくことができる。
【００２５】
この発明の給水装置においては、第１給水経路と第２給水経路とのうち少なくとも一方から供給される水を通水できる通水経路と、第１給水経路と、第２給水経路と、通水経路とのうちから少なくとも２経路を連結し、且つ、その組合せを切り替えることができる連結経路切り替え手段と、を備えることが好ましい。
【００２６】
このような構成にすれば、第１給水経路と第２給水経路とを連結する場合、第１給水経路と通水経路とを連結する場合、第２給水経路と通水経路とを連結する場合、を簡単に切り替えることができる。
【００２７】
この発明に従った装置は、上述した構成を有する給水装置を有する。
【００２８】
この発明の装置によれば、浄水以外の給水源である第２給水源を利用することができる。また、第２給水源に浄水や抗菌水を供給することもできる。
【発明の効果】
【００２９】
この発明によれば、第２給水経路に浄水又は抗菌水を通水することができるので、第２給水経路内に残留している浄水以外の水（例えば、風呂水、川の水、池の水など）を洗い流すことにより、第２給水経路の内部にて、菌やカビの繁殖を低減することができる。
【発明を実施するための最良の形態】
【００３０】
本発明の給水装置の実施の形態を図に従って説明する。なお、本実施の形態においては、第１給水の水源を第１給水源、第２給水の水源を第２給水源と呼ぶこととする。
【００３１】
図１は、給水装置２の模式的な垂直断面図であり、正面側から見た図である。図１に示すように給水装置２は、メイン給水弁５０と、接続管５１と、第１給水経路である第１給水管５２ａと、第２給水経路である第２給水管１０１と、通水経路である通水管１０２と、連結経路切り替え手段である三方弁１００と、抗菌水生成手段である金属イオン水生成手段９０とからなる。
【００３２】
接続管５１の出水側は、第１給水管５２ａの一端と連結されており、他端は、第１給水源側に連結される。接続管５１にはメイン給水弁５０が設けられている。
【００３３】
第１給水管５２ａの他端は三方弁１００に連結されている。また、通水管１０２の一端は三方弁１００に連結され、通水管１０２の他端は給水対象１０３に給水できるようになっている。第２給水管１０１の一端は三方弁１００に連結されており、第２給水管１０１の他端は、第２給水源（第１給水源とは異なる給水源）側に連結される。
【００３４】
なお、本実施の形態において、第１給水は、第２給水よりも清浄な水であればよく、例えば、第１給水としては、浄水、例えば、水道水などの上水、井戸水、工業用水などが挙げられ、第２給水としては、中水、例えば、風呂の残り水、噴水の循環水、プールの循環水、雨水、池の水、川の水、などが挙げられるが、上記のものに限定されず使用することが可能である。
【００３５】
三方弁１００は図示しない制御部により制御されており、三方弁１００を切り替えることにより、第１給水管５２ａと第２給水管１０１とを連結した状態、第１給水管５２ａと通水管１０２とを連結した状態、第２給水管１０１と通水管１０２とを連結した状態、以上３つの状態を切り替えることができる。すなわち、第１給水管５２ａと、第２給水管１０１と、通水管１０２と、の連結の組合せを切り替えることができる。
【００３６】
第１給水管５２ａと第２給水管１０１とを連結した状態であれば、第１給水管５２ａから供給される浄水を第２給水管１０１に供給できる状態にあり、逆に第２給水管１０１から供給される中水を第１給水管５２ａに供給できる状態にある。
【００３７】
第１給水管５２ａと通水管１０２とを連結した状態であれば、第１給水管５２ａから供給される浄水を、通水管１０２を通して給水対象１０３に給水できる状態にある。
【００３８】
第２給水管１０１と通水管１０２とを連結した状態であれば、第２給水管１０１から供給される中水を、通水管１０２を通して給水対象１０３に給水できる状態にある。
【００３９】
なお、三方弁１００に代えて、第１給水管５２ａ、第２給水管１０１、通水管１０２のそれぞれに電磁弁を設け、それぞれの電磁弁の開閉の組み合わせを切り替えることにより、第１給水管５２ａ、第２給水管１０１、通水管１０２の連結の組合せを切り替えるようにしてもよい。
【００４０】
第１給水管５２ａには、図２に示す金属イオン水生成手段９０が設けられている。図２は金属イオン水生成手段９０の概略断面図である。図２（Ａ）は水平概略断面図、図２（Ｂ）は垂直概略断面図である。図２（Ａ）、図２（Ｂ）に示すように、金属イオン水生成手段９０は合成樹脂などの絶縁材料から形成されるケース９１を有し、ケース９１の内部には、例えば、大きさ２０ｍｍ×５０ｍｍ、厚さ１ｍｍ程度の金属電極である板状の銀電極９２ａ、９２ｂが約５ｍｍの距離を隔ててほぼ平行となるように配設されている。また、銀電極９２ａ、９２ｂにはそれぞれ接続端子９３ａ、９３ｂが一体に形成されている。接続端子９３ａ、９３ｂは例えば、配線（図示せず）により制御部８０に接続されている。ケース９１には、水が流入する流入口９４、水が流出する流出口９５が設けられており、流入口９４からからケース９１内に水が流入し、流出口９５から水がケース９１外に流出することができる。すなわち、銀電極９２ａ、９２ｂの長手方向と平行に水が流れることになる。
【００４１】
銀電極９２ａ、９２ｂが水中に浸かり水が流れている状態で、制御部８０により銀電極９２ａ、９２ｂ間に電圧が印加されると、陽極側の銀電極において、Ａｇ→Ａｇ+＋ｅ-の反応が起こり、水中に銀イオン（Ａｇ+）が溶出する。銀イオン（Ａｇ+）が溶出しつづければ陽極側の銀電極は減耗していく。銀電極９２ａまたは銀電極９２ｂから溶出する銀イオンは、優れた殺菌効果及び防カビ効果を発揮する。従って、金属イオン水である銀イオン水は、抗菌性を有する抗菌水として作用する。なお、ここでいう抗菌または殺菌とは、細菌や真菌を殺菌、抗菌することだけでなく、ウイルスを不活化することも含む。また、銀イオンによりウイルスが不活化されることは、「銀イオン水  Ｌ．Ａ．クリスキー著  新日本鋳鍛造協会（出版会）  １９９３年」に記載されている。
【００４２】
他方陰極側の銀電極では、Ｈ+＋ｅ-→１／２Ｈ2の反応が生じ、水素が発生するとともに、水中に含まれるカルシウムなどが炭酸カルシウムなどのカルシウム化合物のスケールとして銀電極の表面に析出する。
【００４３】
また電極の成分金属である銀の塩化物及び硫化物が表面に発生する。従って、使用が長期にわたると、炭酸カルシウムや塩化物や硫化物などのスケールが電極表面に厚く堆積し、金属イオンである銀イオンの溶出を妨げる。このため、銀イオンの溶出量が不安定になったり、電極の減耗が不均一になったりする。そこで、制御部８０は、金属イオン水生成手段９０の銀電極９２ａ、９２ｂ間の印加電圧の極性反転を周期的（例えば２０秒毎）に行うことにより、銀電極９２ａ、９２ｂへのスケールの付着および、一方の銀電極のみが消耗してしまうことを防いでいる。
【００４４】
なお、金属電極としては、銀電極以外にも、抗菌性を有する金属イオンを溶出可能な金属であれば良く、具体的には、銅、銀と銅との合金、亜鉛などが選択可能である。銀電極から溶出する銀イオン、銅電極から溶出する銅イオン、または亜鉛電極から溶出する亜鉛イオンは、優れた殺菌効果及び防カビ効果を発揮する。銀と銅との合金からは銀イオンと銅イオンとを同時に溶出させることができる。また、陽極が金属イオンを溶出する電極で、陰極が金属イオンを溶出しない電極であっても良い。電極形態が２枚以上（複数）の電極から構成される場合は、すべて同じ材質の金属電極であっても良いし、いずれかが金属電極で、他の電極が非金属電極（例えば、炭素電極、導電性プラスチック電極など）であっても良く、メッキの電極であっても良い。さらには、イオン化しにくい金属電極（例えば、チタン電極、貴金属である白金電極，金電極など）であっても良い。あるいは、材質の異なる複数の金属電極（例えば、銀電極と銅電極など）から構成されていても良い。
【００４５】
銀イオンの溶出は、電流値が一定となるように定電流制御を行った。定電流制御とは、電極間の抵抗値変化に関わらず一定の電流値を保つように制御することであるが、電極表面での気泡の発生や、電極の振動による電極間の距離の変化などで電極間の抵抗値は常に変化するため、完全に一定にすることは困難で、多少の電流変動は発生する。ここでは、そういうことがあっても、電極間の抵抗値の変化に対応して、回路の許容電圧の範囲内で電圧を変化させ、概ね抵抗値が上がれば電圧を上げ、抵抗値が下がれば電圧を下げて、電極間の電流値を安定させる制御を定電流制御とする。
【００４６】
銀イオン水の銀イオン濃度は、電極間を流れる電気量と水の量などで制御できる。例えば、上記のような構造の金属イオン水生成手段９０の場合、９０ｐｐｂの銀イオン水を得るには、水の量が１Ｌ／ｍｉｎの場合、電流値３ｍＡにすればよい。また、６００ｐｐｂの銀イオン水を得るには、水の量が１Ｌ／ｍｉｎの場合、電流値１０ｍＡにすればよい。なお、銀イオンの溶出量は、低電流域を除いて、電気量（Ｃ）＝一定電流値（Ａ）×時間（ｓｅｃ）に概ね比例する。また、水量が一定であれば、電気量と得られる銀イオン水の銀濃度には相関があるため、電流値を調節することで、所望濃度の銀イオン水を得ることができる。このように、銀電極９２ａ、９２ｂに所定電流を一定流量の水に流すことで所望の銀イオン濃度を得ることができる。また、給水弁の構造により、流量はほぼ固定できるため、一定電流を流すことにより、ほぼ一定の銀イオン水を生成することができる。なお、様々な濃度の銀イオン水を得ることができるように、電流値と時間の組合せを、実験により予め求めておくことが好ましい。
【００４７】
なお、これら銀イオン、銅イオン、亜鉛イオンは、人体に対して刺激性がなく、毒性も低い。さらに、金属イオンやその化合物は揮発しにくいため、次亜塩素酸などのように、温度を上げたり、換気を行なったりすることで揮発が促進されて、効果が失われたり、不快な臭気が発生したりすることもなく、長期間にわたり抗菌性を維持することができる。
【００４８】
また、上記したような形態の金属イオン水生成手段９０においては、電圧の印加の有無で金属イオンである銀イオンの溶出／非溶出を選択でき、上述したように電流や電圧印加時間を制御することにより銀イオンの溶出量を制御することもできる。
【００４９】
なお、金属イオン水生成手段９０としては、電気分解によるもの以外に、水に浸漬することにより金属イオンが水へと徐放または溶解できる構造を持つ金属イオン含有物質を使用してもよい。金属イオン含有物質１の具体例としては、金属イオンを担持しているゼオライト、シリカゲル、ガラス、りん酸カルシウム、りん酸ジルコニウム、ケイ酸塩、酸化チタン、ウィスカー、セラミックスなど、またはこれらの物質を含む樹脂や繊維などである。
【００５０】
また、抗菌水生成手段として、４級アンモニウム塩や塩化ベンザルコニウムなどの殺菌剤を徐放する手段や、次亜塩素酸やオゾンなどの殺菌効果のある物質を電気分解などにより発生させる手段を用いても良い。なお、次亜塩素酸やオゾンなどは、殺菌・抗菌効果の持続性は金属イオンと比較すると短いが、即効性があるため、前述した第２給水管１０１や通水管１０２や第２給水管に連結するホースなど（例えば、後述する風呂水ポンプ２００のポンプ２０２や風呂水ホース２０５）の内部等を殺菌する目的に使用すると効果的である。なお、電気分解方式を利用した抗菌水生成手段であれば、上述したように電圧の印加の有無で抗菌成分の溶出／非溶出を選択でき、電流や電圧印加時間を制御することにより抗菌成分の溶出量を制御することが可能であるため、好適に使用することができる。
【００５１】
次に、給水装置２を用いた装置の一例として、図３に示す噴水３００を用いて説明する。図３は、噴水３００の概略断面図である。噴水３００には、給水装置２が備えつけられており、第１給水管５２ａは、接続管５１を介して図示しない水道栓（第１給水源）に連結されている。第１給水管５２ａには金属イオン水生成手段９０が配設されている。第２給水管１０１は、噴水３００の水を循環する循環路としての役割を果たしており、通水管１０２は、噴水３００の噴水通路の役割を果たしている。また、第２給水管１０１には、水を循環させるための循環用ポンプ３０１が配設されている。
【００５２】
通常の噴水動作を行う場合、三方弁１００を、第２給水管１０１と通水管１０２とを連結した状態にしておく。噴水３００の水は、通水管１０２から噴射されると、貯留部３０２に貯留され、その後、第２給水管１０１、循環用ポンプ３０１、三方弁１００を通って、再び通水管１０２から噴射される。このように、貯留部３０２は、給水対象１０３であり、給水源（第２給水源）でもある。
【００５３】
噴水３００を循環する水量がある程度減少すると、水を補給する必要がある。この場合、三方弁１００を、第１給水管５２ａと第２給水管１０１とが連結した状態に切り替え、金属イオン水生成手段９０により、金属イオンを水道栓から供給される水道水に添加させて金属イオン水を生成し、金属イオン水を第２給水管１０１を介して、貯留部３０２に供給する。このようにすることで、第２給水経路１０１内や貯留部３０２に金属イオンが付着するので、第２給水管１０１にて、菌やカビやヌメリが発生したり、それによってつまりが生じたりする可能性を低減することができる。もちろん、噴水３００が噴水動作を再開すれば、通水管１０２にも金属イオンが付着するので、通水管１０２も抗菌される。
【００５４】
なお、噴水３００に水を補給する場合、三方弁１００を、第１給水管５２ａと通水管１０２とを連結した状態に切り替えてもよい。このようにしても、貯留部３０２に金属イオン水が供給されることになるので、噴水動作を再開すれば、第２給水管１０１にも金属イオン水が通水するので、第２給水管１０１内を抗菌することができる。しかし、貯留部３０２は大気中の微生物を取り込むことが多く、また光に曝されるため、藻などが繁殖してしまうことがある。金属イオンの殺菌作用は、菌や藻などの微生物や、それらが産生する有機物が存在すると抗菌作用が低下する。そのため、貯留部３０２を通過した金属イオンを含む水は抗菌効果が低減してしまっている。また、金属イオンが銀イオンである場合には、光に曝されることによって、殺菌作用がある銀イオンの一部が殺菌作用の無い金属銀に還元されてしまうため、抗菌効果がさらに低下する。また、金属イオン以外の他の抗菌性を有する物質においても、有機物存在下で抗菌性が低下するのは一般的である。また、次亜塩素酸やオゾンのような抗菌性を有する揮発性物質の場合、大気にさらされることで揮発するので、噴射によっても抗菌性が低下する。
【００５５】
したがって、三方弁１００を、第１給水管５２ａと第２給水管１０１とが連結した状態に切り替え、金属イオン水生成手段９０により、金属イオンを水道栓から供給される水道水に添加させて金属イオン水を生成し、金属イオン水を第２給水管１０１を介して、貯留部３０２に供給する、すなわち、貯留部３０２を経由せずに、抗菌水を直接第２給水経路１０１に通すことが好ましい。
【００５６】
また、浄水に抗菌性を有する物質を添加しない場合においても、前述したように貯留部３０２は汚れていることが多いので、浄水を第１給水管５２ａから貯留部３０２を通さずに直接第２給水経路１０１に給水することによって、第２給水経路１０１内を洗浄し、清潔な状態にすることが可能となる。
【００５７】
つづいて、水から検出される菌に対する銀イオン水の効果を表１、表２に示す。表１は、「防菌防黴ｖｏｌ．２２，Ｎｏ．９，ｐｐ．５３１−５３６，１９９４」からの引用であり、「大腸菌（Ｅ．ｃｏｌｉ）に対する銀イオンの抗菌効果」を示す表である。表２は、実際に本発明者が試験を実施した「緑膿菌（Ｐｓｅｕｄｏｍｏｎａｓ  ａｅｒｕｇｉｎｏｓａ）に対する銀イオンの抗菌効果」を示す表である。試験方法は、いずれも、銀イオン水と菌液とを接触させ、初期菌数と２４時間後の菌数を比較したものである。なお、表1の「０ｐｐｂとの対数値差」とは、２４時間後の銀イオン濃度０ｐｐｂの菌数と２４時間後の銀イオン濃度１０ｐｐｂの菌数との対数値差、２４時間後の銀イオン濃度０ｐｐｂの菌数と２４時間後の銀イオン濃度１００ｐｐｂの菌数との対数値差を表しており、表２の「０ｐｐｂとの対数値差」とは、２４時間後の銀イオン濃度０ｐｐｂの菌数と２４時間後の銀イオン濃度６０ｐｐｂの菌数との対数値差、２４時間後の銀イオン濃度０ｐｐｂの菌数と２４時間後の銀イオン濃度１００ｐｐｂの菌数との対数値差を表している。
【００５８】
表１、表２に記載するように、銀イオン水の銀イオン濃度が少なくとも１０ｐｐｂから６０ｐｐｂあれば、抗菌効果あることがわかる。また、銀イオン水の銀イオン濃度が１００ｐｐｂあれば、さらに抗菌効果が高いことがわかる。よって、銀イオンの濃度が高いほど抗菌効果が高いことがわかる。従って、第１給水及び第２給水の種類、水質に合わせて、抗菌効果が発揮できるように銀イオンの添加量を決定すればよい。
【００５９】
【表１】
0004451404.tif 000002
【００６０】
【表２】
0004451404.tif 000003
【００６１】
以上のように、浄水を、第２給水管１０１（第２給水経路）の第１給水源に近い方向から第２給水源の方向に向かって通水することができる、すなわち、通常の使用とは逆方向に水を流す（逆流させる）ことができるので、第２給水管１０１内に残留している中水を洗い流すことができ、第２給水管１０１内を清潔にすることができる。また、第２給水管１０１に連結されるホースなどに付着している浄水以外の水も洗い流すことができる。
【００６２】
また、第１給水源から給水する第１給水管５２ａ（第１給水経路）に設けた金属イオン水生成手段９０（抗菌水生成手段）により、抗菌性を有する金属イオン（銀イオンなど）を浄水に添加して金属イオン水（銀イオン水など）を生成し、生成した金属イオン水を、第２給水源から給水する第２給水管１０１（第２給水経路）の第１給水源に近い方向から第２給水源の方向に向かって通水することができる。すなわち、通常の使用とは逆方向に水を流す（逆流させる）ことができるので、第２給水管１０１の内部を金属イオンにより殺菌・抗菌することができる。また、第２給水管１０１に連結されるホースなども殺菌・抗菌することができる。また、第２給水源にも金属イオン水を供給することができるので、第２給水源に貯留されている水を殺菌・抗菌することができる。例えば、第２給水源が、噴水の貯留部３０２であれば、貯留部３０２に貯留されている水を、殺菌・抗菌することができる。また、第２給水源が浴槽であれば、浴槽に残っている残り湯（風呂水）を殺菌・抗菌することができ、第２給水源が雨水を貯留する雨水タンクであれば、雨水タンクに貯水されている雨水を殺菌・抗菌することができる。すなわち、第２給水源に貯水されている水そのものを清潔に保つこともできる。もちろん、貯留部３０２や浴槽、雨水タンク自身も金属イオンにより、殺菌・抗菌することができる。
【００６３】
ここで、第1給水経路に抗菌水生成手段が設置されていることにより、第1給水に抗菌作用を持たせることが可能となるため、第１給水は特に限定されないが、第1給水は第2給水よりも清浄である方が好ましい。なぜならば、本実施の形態に記載した、金属電極を電気分解し金属イオンを溶出させて金属イオン水を生成する抗菌水生成手段の場合、第２給水源から供給される中水にて電解を行う場合、中水は第1給水である浄水と比較すると、きれいでない（不純物が多く含まれる）ため、浄水にて電解を行う場合に比べて、金属電極に付着物（例えば、スケール）が付着しやすくなり、金属イオンの溶出が妨げられる可能性が高くなる。また、懸濁物（例えば、ゴミや髪の毛、砂などの水に溶けない不純物）などによって、電極間の短絡が発生して溶出が妨げられる可能性がある。しかし、本発明では、浄水に金属イオンを添加して金属イオン水を生成するので、金属電極に付着物が付着したり、懸濁物による短絡を防止することが可能となる。また、金属イオン水を第２給水源に供給して、第２給水源そのものや、第２給水源に貯えられている中水、及び、中水が通水される第２給水源までの経路を抗菌・殺菌することができる。
【００６４】
また、電解方式に代えて、水に浸漬することにより金属イオンが水へと徐放または溶解できる構造を持つ金属イオン含有物質などを使用した場合、金属イオン含有物質と水の接触面積が金属イオン溶解量に大きく影響するので、一定以上の面積を得る必要があるため、複雑な形状にする必要がある。そのため、浄水と比較するときれいでない（不純物が多く含まれる）中水にて徐放または溶解を行うと、浄水に比べて、不純物による目詰まりが起こりやすくなったり、不純物が表面に付着して、金属イオン含有物質と水の接触面積が低下して溶出量が低下する可能性がある。本発明では浄水にて徐放または溶解を行うので、不純物により目詰まりや溶出量の低下が起こる可能性が低い。
【００６５】
このように、水を循環して何度も利用する噴水に搭載すれば、循環水が減少してきたら、浄水に抗菌性物質（金属イオンなど）を添加して給水することができる。なお、第１給水経路から第２給水経路に通水する水に抗菌性を有する物質を添加しない場合でも、第１経路から供給される浄水は第２給水よりも清浄であるため、第２給水経路を洗浄し、清潔な状態にすることが可能であることは言うまでもない。
【００６６】
なお、水を循環して何度も利用する装置（第２給水源と給水対象が同じになる装置）の一例として、噴水を挙げたが、人工滝、あるいはウォータースライダー、プールなどでも、ほぼ同じような構成で実施することが可能である。
【００６７】
続いて、本発明の他の実施の形態の装置として、洗濯機を図に従って説明する。なお、この洗濯機の実施の形態では、第１給水として水道水、第２給水として風呂の残り湯（以下、単に「風呂水」と呼ぶこともある）を用いて主に説明を行うものとする。
【００６８】
まず、洗濯機の構成について説明する。図４は、洗濯機１の全体構成を示す垂直断面図である。洗濯機１は、全自動型のものであり、外箱１０を備えている。外箱１０は、直方体形状で、金属または合成樹脂により成形され、その上面および底面は開口部となっている。外箱１０の上面開口部には、合成樹脂製の上面板１１が重ねられ、この上面板１１が外箱１０にネジで固定されている。
【００６９】
図４において、左側が洗濯機１の正面、右側が背面とすると、洗濯機１の背面側に位置する上面板１１の上面には、同じく合成樹脂製のバックパネル１２が重ねられ、このバックパネル１２が外箱１０または上面板１１にネジで固定されている。外箱１０の底面開口部には、合成樹脂製のベース１３が重ねられ、このベースが外箱１０にネジで固定されている。なお、図１では、これまでに述べてきたいずれのネジの図示をも省略している。
【００７０】
ベース１３の四隅には、外箱１０を床の上に支えるための脚部１４ａ・１４ｂが設けられている。正面側の脚部１４ａは、高さ可変のネジ脚であり、これを回して洗濯機１のレベル出しを行う。背面側の脚部１４ｂは、ベース１３に一体成型した固定脚である。
【００７１】
上面板１１には、後述する洗濯槽３０に洗濯物を投入するための洗濯物投入口１５が形設されている。蓋１６は、上面板１１にヒンジ部１７で結合され、垂直面内で回動するとともに、洗濯物投入口１５を上から覆う。
【００７２】
外箱１０の内部には、水槽２０と、脱水槽を兼ねる洗濯槽３０とが配置されている。水槽２０および洗濯槽３０は、両者ともに、上面が開口した円筒形のカップの形状を呈しており、各々の軸線が鉛直方向となり、かつ、水槽２０が外側、洗濯槽３０が内側となるように同心状に配置されている。
【００７３】
水槽２０は、サスペンション部材２１によって吊り下げられている。サスペンション部材２１は、水槽２０の外面下部と外箱１０の内面コーナー部とを連結する形で計４箇所に配備され、水槽２０を水平面内で揺動できるように支持している。
【００７４】
洗濯槽３０は、上方に向かうにつれて緩やかに広がるテーパー形状の周壁を有している。この周壁には、その最上部に環状に配置した複数個の脱水孔３１を除き、液体を通すための開口部はない。すなわち、洗濯槽３０は、いわゆる「穴なし」タイプである。洗濯槽３０の上部開口部の縁には、環状のバランサ３２が装着されている。バランサ３２は、洗濯物の脱水のため、洗濯槽３０を高速回転させたときに、その振動を抑制する働きを有している。洗濯槽３０の内部底面には、槽内で洗濯水あるいはすすぎ水の流動を生じさせるためのパルセータ３３が配置されている。パルセータ３３で覆われる洗濯槽３０の底壁には排水孔３４が形成されている。
【００７５】
水槽２０の下面には、駆動ユニット４０が装着されている。駆動ユニット４０は、モータ４１、クラッチ機構４２およびブレーキ機構４３を含んでおり、その中心部から、脱水軸４４とパルセータ軸４５とが上向きに突出している。脱水軸４４とパルセータ軸４５とは、脱水軸４４を外側、パルセータ軸４５を内側とする二重軸構造となっている。脱水軸４４は、下方から上方に向かって水槽２０の中に入り込んだ後、洗濯槽３０に連結し、これを支えている。パルセータ軸４５は、下方から上方に向かって水槽２０を貫いてさらに洗濯槽３０の中に入り込み、パルセータ３３に連結し、これを支えている。脱水軸４４と水槽２０との間、および、脱水軸４４とパルセータ軸４５の間には、各々、水もれを防ぐためのシール部材が配置されている。
【００７６】
バックパネル１２の下の空間には、給水装置２ａが設けられており、給水装置２ａは、容器状の給水口５３に接続されている。給水口５３は、洗濯槽３０の内部に臨む位置に設けられている。給水装置２は、バックパネル１２に設けられた透孔１８を通じて上方に突きだす接続管５１を有している。接続管５１には、水道水などの上水を供給する給水ホース（図示せず）が接続されており、ホースを介して水道の蛇口に接続される。給水装置２ａは、後述する図５に示す構造を有している。
【００７７】
水槽２０の底部には、水槽２０および洗濯槽３０の中の水を外箱１０の外に排水する排水ホース６０が取り付けられている。排水ホース６０には、排水管６１から水が流れ込む。排水管６１は、水槽２０の底面の外周寄りの箇所に連結されている。
【００７８】
排水管６１には、電磁的に開閉する排水弁６２が設けられている。排水管６１の排水弁６２の上流側にあたる箇所には、エアトラップ（図示せず）が設けられており、エアトラップからは導圧管７０が延び出している。導圧管７０の上端には、洗濯槽３０または水槽２０の水量検知手段である水位スイッチ７１が接続されている。
【００７９】
外箱１０の正面側には、制御部８０が配置されている。制御部８０は、上面板１１の下に置かれており、上面板１１の上面に設けられた操作／表示部８１を通じて使用者からの操作指令を受け、駆動ユニット４０、などに動作指令を発するとともに、給水装置２ａの制御もかねている。また、制御部８０は、操作／表示部８１に表示指令を発する。
【００８０】
図５は、給水装置２ａの模式的な垂直断面図であり、正面側から見た図である。なお、前述した図１の給水装置２と同じ部分には同じ符号を打ってある。図５に示すように給水装置２は、メイン給水弁５０と、第１給水弁５０ａと、第２給水弁５０ｂと、接続管５１と、第１給水経路である第１給水管５２ａと、第２給水経路である第２給水管１０１と、第３給水経路である第３給水管５２ｂと、通水経路である通水管１０２と、連結経路切り替え手段である三方弁１００と、抗菌水生成手段である金属イオン水生成手段９０とからなる。なお、給水口５３を給水対象１０３として表示している。
【００８１】
接続管５１の出水側は、第１給水管５２ａの一端と連結されており、他端は、第１給水源である水道栓にホースなどを介して連結されている。接続管５１にはメイン給水弁５０が、第１給水管５２ａには第１給水弁５０ａが設けられている。また、メイン給水弁５０と第１給水弁５０ａの間にて、第１給水管５２ａに第３給水管５２ｂの一端が連結されており、第３給水管５２ｂには第２給水弁５０ｂが設けられている。なお、第３給水管５２ｂの他端は、給水対象１０３に給水できるようになっている。
【００８２】
第１給水管５２ａの他端は三方弁１００に連結されている。また、通水管１０２の一端は三方弁１００に連結され、通水管１０２の他端は給水対象１０３に給水できるようになっている。第２給水管１０１の一端は三方弁１００に連結されており、第２給水管１０１の他端は、後述する風呂水ポンプ２００の風呂水ホース２０５に連結される。三方弁１００は制御部８０により制御されており、三方弁１００を切り替えることにより、第１給水管５２ａと第２給水管１０１とを連結した状態、第１給水管５２ａと通水管１０２とを連結した状態、第２給水管１０１と通水管１０２とを連結した状態、以上３つの状態を切り替えることができる。すなわち、第１給水管５２ａと、第２給水管１０１と、通水管１０２と、の連結の組合せを切り替えることができる。
【００８３】
第１給水管５２ａと第２給水管１０１とを連結した状態であれば、第１給水管５２ａから供給される水道水を第２給水管１０１に供給できる状態にあり、逆に第２給水管１０１から供給される風呂水を第１給水管に供給できる状態にあるとともに、第３給水管５２ｂを介して給水対象１０３に給水できる状態でもある。
【００８４】
第１給水管５２ａと通水管１０２とを連結した状態であれば、第１給水管５２ａから供給される水道水を、通水管１０２を通して給水対象１０３に給水できる状態にある。
【００８５】
第２給水管１０１と通水管１０２とを連結した状態であれば、第２給水管１０１から供給される風呂水を、通水管１０２を通して給水対象１０３に給水できる状態にある。
【００８６】
なお、三方弁１００に代えて、第１給水管５２ａ、第２給水管１０１、通水管１０２のそれぞれに電磁弁を設け、それぞれの電磁弁の開閉の組み合わせを切り替えることにより、第１給水管５２ａ、第２給水管１０１、通水管１０２の連結の組合せを切り替えるようにしてもよい。
【００８７】
第１給水管５２ａには、前述した図２に示す金属イオン水生成手段９０が設けられている。
【００８８】
図６は風呂水ポンプ２００の概略断面図である。風呂水ポンプ２００の筐体２０１内にはポンプ２０２が設けられており、吸い込み口２０３にはフィルター２０４が設けられている。フィルター２０４は、風呂水に交じっている毛髪などがポンプ２０２や洗濯機内に入らないようにするためのものである。ポンプ２０２は風呂水ホース２０５の一端に連結され、吸い込み口２０３から吸い込んだ風呂水を、風呂水ホース２０５に送ることができるようになっている。風呂水ホース２０５の他端は、前述した第２給水管１０１に連結されている。したがって、風呂水ホース２０５を通った風呂水は第２給水管１０１に通水されることになる。また、風呂水ポンプ２００には図示しない水検知手段が設けられている。水検知手段としては、例えば、ポンプ２０２を動かして、ポンプ２０２に負荷がかかるかどうかで確認する方法や、吸い込み口２０３付近に２つの極板を設けて、その極板間に電圧をかけて、電流が流れるかどうかで判断する方法（導電率から判断する方法）、赤外線などの光の吸収を利用する方法など周知のものを利用すればよい。
このように、水検知手段を設けることによって、後述する風呂水抗菌工程などにおいて、ユーザーが風呂水ポンプの吸い込み口２０３を浴槽内などにセットしていなかった場合に、吸い込み口２０３から水が出て床などにこぼれるのを防ぐことができる。
【００８９】
続いて、図７から図１２を用いて、洗濯機１の動作の説明を行う。図７は、洗濯機１の洗濯工程全体のフローチャートである。Ｓ２０１では設定した時刻に洗濯を開始する、予約運転の選択がなされているかどうかを確認する。この予約運転は、給水開始タイマーである予約運転タイマーを、前述した操作／表示部８１にてユーザーが操作することで任意の時間に設定することができる。予約運転が選択されていればＳ２０６に進む。選択されていなければＳ２０２に進む。
【００９０】
Ｓ２０６に進んだ場合は、後述するＳ３００の洗い工程やＳ４００のすすぎ工程などの複数の工程のうち少なくとも１つの工程において、風呂水の使用が選択されているかどうかの確認が行われる。風呂水の使用が選択されていれば、Ｓ６００の風呂水抗菌工程に進む。Ｓ６００の風呂水抗菌工程の内容は別途図８のフローチャートで説明する。Ｓ６００の風呂水抗菌工程終了後にＳ２０７に進む。風呂水の使用が選択されていなければＳ２０７に進む。
【００９１】
Ｓ２０７では、運転開始時刻になったかどうかの確認が行われる。運転開始時刻になったらＳ２０２に進む。
【００９２】
Ｓ２０２では洗い工程の選択がなされているかどうかを確認する。選択がなされていればＳ３００に進む。Ｓ３００の洗い工程の内容は別途図９のフローチャートで説明する。洗い工程終了後、Ｓ２０３に進む。洗い工程の選択がなされていなければＳ２０２から直ちにＳ２０３に進む。
【００９３】
Ｓ２０３ではすすぎ工程の選択がなされているかどうかを確認する。選択されていればＳ４００に進む。Ｓ４００のすすぎ工程の内容は別途図１１のフローチャートで説明する。図９ではすすぎ工程を１回実施することとしているので、このすすぎ工程が最終すすぎ工程となる。なお、すすぎ工程は複数回にわたってもよく、すすぎ工程の回数は使用者が任意に設定できるものであってもよい。
【００９４】
すすぎ工程終了後、Ｓ２０４に進む。すすぎ工程の選択がなされていなければＳ２０３から直ちにＳ２０４に進む。
【００９５】
Ｓ２０４では脱水工程の選択がなされているかどうかを確認する。選択されていればＳ５００に進む。Ｓ５００の脱水工程の内容は別途図１２のフローチャートで説明する。脱水工程終了後、Ｓ２０５に進む。脱水工程の選択がなされていなければＳ２０４から直ちにＳ２０５に進む。
【００９６】
Ｓ２０５では制御部８０、特にその中に含まれる演算装置（マイクロコンピュータ）の終了処理が手順に従って自動的に進められる。また洗濯工程が完了したことを終了音で報知する。すべてが終了した後、洗濯機１は次の洗濯工程に備えて待機状態に戻る。
【００９７】
次に、上述したＳ６００の風呂水抗菌工程、Ｓ３００の洗い工程、Ｓ４００のすすぎ工程、Ｓ５００の脱水工程の各個別工程の詳細について、図８、図９、図１０、図１１に基づいて説明する。
【００９８】
図８は、洗濯機１の風呂水抗菌工程における動作の流れを示すフローチャートである。なお、以下の工程においても、所定の判断を行う主体は、制御部８０である。Ｓ６０１では、風呂水ポンプ２００に設けられている図示しない水検知手段により、浴槽に水が存在するかどうかを確認する。水の存在が確認できた場合は、Ｓ６０２に進む。水の存在が確認できなかった場合は、Ｓ６０８に進む。なお、通常、洗濯に風呂の残り湯を使用する場合においては、ユーザーが、予め風呂水ポンプ２００の吸い込み口２０３を、浴槽に残っている残り湯に浸漬しておく必要がある。しかし、Ｓ６０１にて、水が検知されない場合としては、浴槽に風呂の残り湯が存在しない、または、浴槽の残り湯に吸い込み口２０３が浸漬されていなかったりする可能性がある。
【００９９】
Ｓ６０８に進んだ場合、三方弁１００を第１給水管５２ａと通水管１０２とを連結した状態に切り替える。そして、この風呂水抗菌工程から抜ける。なお、Ｓ６０８が終了したあとで、風呂水給水ができないことをユーザーに報知するようにしてもよい。あるいは、洗濯工程を中止するようにしてもよい。
【０１００】
Ｓ６０２に進んだ場合、三方弁１００を第１給水管５２ａと第２給水管１０１とを連結した状態に切り替えて、Ｓ６０３に進む。Ｓ６０３では、メイン給水弁５０と第１給水弁５０ａを開き、第２給水弁５０ｂを閉じる。このようにすることで、接続管５１から流れてくる水道水を給水対象１０３に給水することなく、第２給水管１０１に給水するとともに、風呂水ポンプ２００を通じて、浴槽に水道水を給水できる状態になる。その後、Ｓ６０４に進む。
【０１０１】
Ｓ６０４では、金属イオン水生成手段９０を動作させ、銀電極９２ａ、９２ｂ間に電圧を印加し、金属イオン水生成手段９０内部を通る水道水に銀イオン（Ａｇ+）を溶出し、銀イオン水を生成する。このようにすることで、銀イオン水を第２給水管１０１に給水するとともに、浴槽に銀イオン水を給水できる状態になる。その後、Ｓ６０５に進む。
【０１０２】
Ｓ６０５では、所定時間が経過するのを待つ。この所定時間は、浴槽の残り湯が十分な殺菌・抗菌性が得られる銀イオン濃度（１０ｐｐｂから６０ｐｐｂ程度あれば十分である）になるように、銀イオン水を供給するのに必要な時間に設定すればよい。たとえば、風呂の残り湯が２００Ｌのときに、銀イオン濃度を１０ｐｐｂ（１０μｇ／Ｌ）以上にするには、少なくとも２ｍｇの銀イオンを添加すればよい。この場合、例えば、銀電極９２ａ、９２ｂ間に流す電流を２９ｍＡとした場合、銀電極からの銀溶出量は約１．８ｍｇ／ｍｉｎであるので、給水量が１Ｌ／ｍｉｎであれば、９０秒ほど電気分解を行うことにより、風呂の残り湯に含まれる銀イオンの濃度を約１３ｐｐｂとすることができる。したがって、この場合、所定時間は９０秒となる。
【０１０３】
風呂の残り湯は必ずしも２００Ｌであるとは限らないので、残り湯の量を選択すれば自動的に、十分な殺菌・抗菌性が得られる銀イオン濃度を得るために必要な、銀電極に流す電流、電流を流す時間、単位時間当たりの給水量などが設定されるようにしておけば、使い勝手が良くなる。
【０１０４】
Ｓ６０５で所定時間が経過するとＳ６０６に進む。Ｓ６０６では、銀電極９２ａ、９２ｂ間への電圧の印加を停止し、金属イオン水生成手段９０の動作を停止させる。そして、Ｓ６０７へ進む。Ｓ６０７では、メイン給水弁５０を閉じ、第２給水管１０１及び浴槽への給水を停止する。Ｓ６０７の動作を終了すると、Ｓ６００の風呂水抗菌工程のフローチャートから抜ける。
【０１０５】
なお、Ｓ２０６の後、Ｓ６００に進む場合においては、Ｓ６００を実施する前に、一定時間経過させてもよい。そうする事で、再度風呂を利用したくなった場合や、翌日の天気予報を見て洗濯をやめる場合などの予定の変更があった場合に、Ｓ６００の風呂水抗菌工程を行わないように、ユーザーが操作／表示部８１を操作する猶予期間を設けることができるとともに、金属イオン処理を無駄に行なわずにすむ。なお、この一定時間は固定であってもよいし、ユーザーが任意に選べるようにしてもよい。
【０１０６】
また、菌の増殖は、数時間程度の誘導期の後、対数増殖期に急激に起こる。そのため、例えば、風呂水抗菌工程を行うまでの時間が誘導期内（例えば１時間程度）であれば菌の増殖はあまり起こらないので、菌が増殖する前の菌が少ない段階で金属イオンによる風呂水の抗菌処理が実施されれば、それ以降の菌の増殖が抑えられるため、菌の繁殖抑制を効率よく行うことが可能となる。また、金属イオンの添加量を少なくすることが出来るため、効率的である。
【０１０７】
もちろん、風呂の使用を終えた後すぐ、あるいは誘導期内に、金属イオンを風呂水に添加して、菌の増殖を抑制することが好ましいが、必ずしも風呂の使用後直ぐ、あるいは誘導期内に金属イオンを添加できるとは限らず、対数増殖期に入ってから、金属イオンを添加する場合もある。そのような場合には、菌が増殖してしまっているが、誘導期よりも多くの金属イオンを投入することにより、風呂水を殺菌することができる。したがって、一定時間が一定値（例えば、１時間）未満であれば、第１金属イオン濃度（例えば、１０ｐｐｂ）の金属イオン水を風呂水に添加し、一定値以上であれば、第１金属イオン濃度よりも高い濃度の第２金属イオン濃度（例えば、１００ｐｐｂ以上）の金属イオン水を風呂水に添加するようにしてもよい。このようにすれば、対数増殖期後でも、風呂水を殺菌・抗菌することができる。
【０１０８】
なお、常に高濃度（例えば、１００ｐｐｂ以上）の金属イオン水を風呂水に供給するようにしてやれば、風呂水の抗菌・殺菌には望ましいが、一方で高濃度の金属イオンを溶出するため、電極の寿命が短くなるという欠点もある。よって、風呂水抗菌工程を行うまでの時間に応じて金属イオン水の濃度を切り替えるモードと、常に高濃度の金属イオン水を供給するモードとを、選択できるようにしてもよい。
【０１０９】
図９は、洗濯機１の洗い工程における動作の流れを示すフローチャートである。なお、以下の工程においても、所定の判断を行う主体は、制御部８０である。Ｓ３０１では、水位スイッチ７１の検知している洗濯槽３０内の水位データのとり込みが行われる。Ｓ３０２では、容量センシングの選択がなされているかどうかを確認する。容量センシングが選択されていれば、Ｓ３０７に進み、選択されていなければ、そのままＳ３０３に進む。
【０１１０】
Ｓ３０７では、パルセータ３３の回転負荷により、洗濯物の量を測定する。容量センシング後、Ｓ３０３に進む。
【０１１１】
Ｓ３０３では、洗い工程において風呂水を使用するように選択されているかどうかを確認する。選択されていればＳ７００の風呂水給水工程に進む。Ｓ７００の風呂水給水工程の内容は別途図１０のフローチャートで説明する。風呂水給水工程の終了後、Ｓ３０５に進む。風呂水の使用が選択されていなければＳ３０４に進む。
【０１１２】
Ｓ３０４では、メイン給水弁５０と第１給水弁５０ａを開き、第２給水弁５０ｂを閉じ、三方弁１００を第１給水管５２ａと通水管１０２とを連結した状態にする。このようにすることで、接続管５１から供給される水道水を、給水対象１０３である給水口５３を通じて洗濯槽３０に注ぐことができる。なお、この時点では、排水弁６２は閉じている。水位スイッチ７１が設定水位を検知すると、メイン給水弁５０を閉じ、Ｓ３０５に進む。
【０１１３】
Ｓ３０５では、使用者の設定に従い、モータ４１がパルセータ３３を所定のパターンで回転させ、洗濯槽３０の中に洗濯のための主水流を形成する。この主水流により、洗濯物の洗濯が行われる。脱水軸４４にはブレーキ装置４３によりブレーキがかかっており、洗濯水および洗濯物が動いても、洗濯槽３０は回転しない。
【０１１４】
主水流の期間が経過した後、Ｓ３０６に進む。Ｓ３０６では、パルセータ３３が小刻みに反転して洗濯物をほぐし、洗濯槽３０の中に洗濯物がバランス良く配分されるようにする。これは、洗濯槽３０の脱水回転に備えるためである。Ｓ３０６の動作が終了すると、洗い工程のフローチャートから抜ける。
【０１１５】
図１０は、洗濯機１の風呂水給水工程における動作の流れを示すフローチャートである。なお、以下の工程においても、所定の判断を行う主体は、制御部８０である。Ｓ７０１では、三方弁１００を第２給水管１０１と通水管１０２とを連結した状態に切り替えて、Ｓ７０２に進む。
【０１１６】
Ｓ７０２では、ポンプ２０２を駆動させる。ポンプ２０２により、風呂水が汲み上げられ、第２給水管１０１、三方弁１００、通水管１０２を経て、給水対象１０３である給水口５３を通じて洗濯槽３０に風呂水を注ぐことができる。なお、この時点では、排水弁６２は閉じている。続いてＳ７０３に進む。
【０１１７】
Ｓ７０３では、洗濯槽３０内の水位が、所定水位になったかを確認する。水位スイッチ７１が設定水位を検知すると、Ｓ７０４に進む。所定水位になっていない場合は、所定水位になるのを待つ。
【０１１８】
Ｓ７０４では、ポンプ２０２の駆動を停止させて、風呂水給水工程を終了し、風呂水給水工程のフローチャートから抜ける。
【０１１９】
なお、本実施の形態の風呂水給水工程のフローチャートでは、風呂水のみで洗濯槽３０に所定水位まで水を供給できるという前提で書いてあるが、実際には、風呂の残り湯の残量が少なく、所定水位に達するために必要な水量を確保できない場合もある。このような場合には、第２給水源である浴槽から洗濯槽３０への風呂水の給水を停止し、第１給水源である水道栓からの給水に切り替えるようにすることで、所定水位を確保できるようにすればよい。なお、風呂水のみでは所定水位に必要な水量が確保できないことは、例えば、一定時間以内に所定水位にならないことを検知する方法、或いは、一定時間水位の上昇みられないことを検知する方法などにより判断すればよい。
【０１２０】
図１１は、洗濯機１のすすぎ工程における動作の流れを示すフローチャートである。なお、以下の工程においても、所定の判断を行う主体は、制御部８０である。
【０１２１】
最初に、Ｓ５００の脱水工程が入るが、これについては後述の図１２のフローチャートで説明する。この脱水工程後は、Ｓ４０１に進む。Ｓ４０１では、すすぎ工程において風呂水を使用するように選択されているかどうかを確認する。選択されていれば前述したＳ７００の風呂水給水工程に進む。風呂水給水工程の終了後、Ｓ４０３に進む。風呂水の使用が選択されていなければＳ４０２に進む。
【０１２２】
Ｓ４０２では、メイン給水弁５０と第１給水弁５０ａを開き、第２給水弁５０ｂを閉じ、三方弁１００を第１給水管５２ａと通水管１０２とを連結した状態にする。このようにすることで、接続管５１から供給される水道水を、給水対象１０３である給水口５３を通じて洗濯槽３０に注ぐことができる。なお、この時点では、排水弁６２は閉じている。水位スイッチ７１が設定水位を検知すると、メイン給水弁５０を閉じ、Ｓ４０３に進む。
【０１２３】
Ｓ４０３では、使用者の設定に従い、モータ４１がパルセータ３３を所定のパターンで回転させ、洗濯槽３０の中にすすぎのための主水流を形成する。この主水流により洗濯物を攪拌し、洗濯物のすすぎが行われる。脱水軸４４にはブレーキ装置４３によりブレーキがかかっており、洗濯水および洗濯物が動いても、洗濯槽３０は回転しない。
【０１２４】
主水流（攪拌）の期間が経過した後、Ｓ４０４に進む。Ｓ４０４では、パルセータ３３が小刻みに反転して洗濯物をほぐし、洗濯槽３０の中に洗濯物がバランス良く配分されるようにする。これは、脱水工程に備えるためである。Ｓ４０４の動作が終了すると、すすぎ工程のフローチャートから抜ける。
【０１２５】
なお、以上の説明では、洗濯槽３０の中にすすぎ水をためておいてすすぎを行う「ためすすぎ」を実行するものとしたが、常に新しい水を補給する「注水すすぎ」、あるいは洗濯槽３０を低速回転（後述する脱水工程における洗濯槽３０の回転速度と比較して低速回転である）させながら給水口５３より洗濯物に水を注ぎかける「シャワーすすぎ」を行うこととしてもよい。
【０１２６】
図１２は、洗濯機１の脱水工程における動作の流れを示すフローチャートである。なお、以下の工程においても、所定の判断を行う主体は、制御部８０である。
【０１２７】
まず、Ｓ５０１では、排水弁６２を開く。これにより、洗濯槽３０の中の洗濯水は、排水管６１と排水ホース６０を通じて排水される。排水弁６２は、脱水工程中は開いたままである。
【０１２８】
そして、Ｓ５０２にて、比較的低速の脱水運転（後述の高速脱水運転よりも低速の脱水運転）を行った後、Ｓ５０３にて、高速の脱水運転（前述の低速脱水運転よりも高速の脱水運転）を行う。Ｓ５０４では、モータ４１への通電を断ち、ブレーキをかける等の停止処理を行う。
【０１２９】
Ｓ５０２およびＳ５０３の脱水工程では、以下の動作が行われる。洗濯槽３０および洗濯物から大部分の洗濯水が抜けたところで、クラッチ装置４２およびブレーキ装置４３が切り替わる。クラッチ装置４２およびブレーキ装置４３の切り替えタイミングは、排水開始前または排水と同時でよい。そして、今度は、モータ４１が脱水軸４４を回転させる。これにより、洗濯槽３０が脱水回転を行う。このとき、パルセータ３３も洗濯槽３０とともに回転する。
【０１３０】
洗濯槽３０が回転すると、洗濯物は、遠心力で洗濯槽３０の内周壁に押しつけられる。そして、洗濯物に含まれていた洗濯水も、洗濯槽３０の周壁内面に集まってくる。このとき、前述の通り、洗濯槽３０はテーパー状に上方に広がっているので、遠心力を受けた洗濯水は、洗濯槽３０の内面を上昇する。洗濯水は、洗濯槽３０の上端にたどりついたところで脱水孔３１から放出される。脱水孔３１を離れた洗濯水は、水槽２０の内面にたたきつけられ、水槽２０の内面を伝って水槽２０の底部に流れ落ちる。そして、上記洗濯水は、排水管６１と、それに続く排水ホース６０とを通って外箱１０の外に排出される。
【０１３１】
以上のように、水道栓から得られる水道水を、第２給水経路である第２給水管１０１の水道栓に近い方向から浴槽の方向に向かって通水することができる、すなわち、通常の使用とは逆方向に水を流す（逆流させる）ことができるので、第２給水管１０１内に残留している風呂水を洗い流すことができ、第２給水管１０１内を清潔にすることができる。また、風呂水ポンプ２００のように、第２給水管１０１に連結される物に付着している風呂水も洗い流すことができる。
【０１３２】
また、水道栓から給水する第１給水経路である第１給水管５２ａに設けた抗菌水生成手段である金蔵イオン水生成手段９０により、水道水に抗菌性を有する金属イオン（銀イオンなど）を添加して金属イオン水（銀イオン水など）を生成し、生成した金属イオン水を、浴槽から給水する第２給水経路である第２給水管１０１の水道栓に近い方向から浴槽の方向に向かって通水することができる、すなわち、通常の使用とは逆方向に水を流す（逆流させる）ことができるので、第２給水管１０１の内部を殺菌・抗菌することができる。また、風呂水ポンプ２００のように、第２給水管１０１に連結される物も殺菌・抗菌することができる。また、浴槽にも金属イオン水を供給することができるので、浴槽に貯留されている風呂水を殺菌・抗菌することができる。もちろん、浴槽自身も殺菌・抗菌することができる。
【０１３３】
また、給水装置２ａを備えた洗濯機１においては、予約運転タイマーを設定すると、洗濯が行われる前（例えば、予約運転タイマー設定直後から）に、風呂水に金属イオン水（例えば、銀イオン水）が供給され、予め風呂水の殺菌・抗菌が行われるので、洗濯が開始されるまでに、風呂水に菌が繁殖することを防止できる。また、朝出かける前に洗濯物を干したい場合、あるいは深夜電力を利用する場合など、夜のうちに洗濯を自動的に行っておくときに、便利である。さらに、銀イオン水を使用した場合、洗濯時に衣類に銀イオンを付着させることができるので、衣類に抗菌性を付与することができる。さらに、銀イオンであれば、風呂水に銀イオンが添加された後に入浴しても、安全である。このように、給水開始タイマーを設定することにより、給水対象１０３に給水が開始される前に、第２給水源（上水道以外の給水源）に抗菌水を供給して、予め第２給水源の水を殺菌することができる。
【０１３４】
なお、第２給水源（上水道以外の給水源）から給水される水を給水対象１０３に供給した後で、抗菌水を、第２給水経路に通水するようにしてもよい。この一例として、給水装置２を備えた洗濯機１における、洗い工程、すすぎ工程にて説明する。説明には、図１３、図１４のフローチャートを用いる。
【０１３５】
図１３は、洗濯機１の洗い工程における動作の流れを示す第２のフローチャートである。図１３のフローチャートは、図９のフローチャートのＳ７００風呂水給水工程の後に、Ｓ３０８の洗浄動作とＳ３０９のホース洗浄が追加され、Ｓ３０９終了後はＳ３０６に進むようになっており、それ以外は、図９のフローチャートと同じである。図１４は、洗濯機１のすすぎ工程における動作の流れを示す第２のフローチャートである。図１４のフローチャートは、図１１のフローチャートのＳ７００風呂水給水工程の後に、Ｓ４０５のすすぎ動作とＳ４０６のホース洗浄が追加され、Ｓ４０６終了後はＳ４０４に進むようになっており、それ以外は、図９のフローチャートと同じである。なお、以下の工程においても、所定の判断を行う主体は、制御部８０である。
【０１３６】
まず、図１３の洗濯機１の洗い工程における動作の流れを示す第２のフローチャートについて説明する。Ｓ３０１からＳ３０７、及びＳ７００の動作は、前述した図９、図１０のフローチャートと同じであるので、説明を省略する。Ｓ７００の風呂水給水工程が終了すると、Ｓ３０８の洗浄動作に進む。Ｓ３０８の洗浄動作は、Ｓ３０５の洗浄動作と同じものである。Ｓ３０８が終了するとＳ３０９に進む。
【０１３７】
Ｓ３０９においては、三方弁１００を第１給水管５２ａと第２給水管１０１とを連結した状態に切り替える。次に、メイン給水弁５０と第１給水弁５０ａを開き、第２給水弁５２ｂを閉じる。このようにすることで、接続管５１から流れてくる水道水を給水対象１０３に給水することなく、第２給水管１０１に給水するとともに、風呂水ポンプ２００を通じて、浴槽に水道水を給水することができる状態になる。
【０１３８】
Ｓ３０９が終了すると、Ｓ３０６に進み、本フローチャートから抜ける。
【０１３９】
続いて、図１４の洗濯機１のすすぎ工程における動作の流れを示す第２のフローチャートについて説明する。Ｓ４０１からＳ４０４、Ｓ５００及びＳ７００の動作は、前述した図１０、図１１、図１２のフローチャートと同じであるので、説明を省略する。Ｓ７００の風呂水給水工程が終了すると、Ｓ４０５の洗浄動作に進む。Ｓ４０５のすすぎ動作は、Ｓ４０３のすすぎ動作と同じものである。Ｓ４０５が終了するとＳ４０６に進む。
【０１４０】
Ｓ４０６においては、三方弁１００を第１給水管５２ａと第２給水管１０１とを連結した状態に切り替える。次に、メイン給水弁５０と第１給水弁５０ａを開き、第２給水弁５２ｂを閉じる。このようにすることで、接続管５１から流れてくる水道水を給水対象１０３に給水することなく、第２給水管１０１に給水するとともに、風呂水ポンプ２００を通じて、浴槽に水道水を給水することができる状態になる。
【０１４１】
Ｓ４０６が終了すると、Ｓ４０４に進み、本フローチャートから抜ける。
【０１４２】
このようにすることで、第２給水として中水（例えば、風呂の残り水、噴水の循環水、プールの循環水、池の水、川の水など）を使用することで、第２給水経路である第２給水管１０１の内部や風呂水ポンプ２００の内部に残留してしまう第２給水を、第１給水である浄水により洗い流すことができる。よって、第２給水に含まれる有機物を栄養として細菌やカビが、第２給水経路内に繁殖することを抑制することができる。なぜなら、前述したように、浄水（例えば、水道水）には菌がほとんど含まれておらず、栄養となる有機物もほとんど含まれていないからである。また、第２給水を使用した後で、改めてユーザーが設定しなくても、自動的に第２給水経路内に残留している第2給水を洗い流すことができるので、第２給水経路内にカビや菌が繁殖する可能性を低減することができる。
【０１４３】
また、第２給水は、懸濁物が存在することがあり、懸濁物をポンプなどに吸い込むのを防ぐために、フィルターを設けているケースがある。この場合、第１給水である浄水を、第２給水管を通じて、浴槽などの第２給水源に給水することによって、このフィルターを逆洗（通常の使用とは逆方向に水を流すことで、目詰まりを解消したりする方法）することもできる。なお、フィルターとしては、ウェッジワイヤ型のフィルターなど逆洗に適したものを使用するとより効果的である。
【０１４４】
また、Ｓ３０９とＳ４０６のホース洗浄においては、金属イオン水生成手段９０を動作させて、浄水に銀イオン（Ａｇ+）を溶出し、銀イオン水を生成するようにしてもよい。このようにすることで、銀イオン水を第２給水管１０１や風呂水ポンプ２００に銀イオン水を給水できるので、第２給水管１０１の内部や風呂水ポンプ２００の風呂水ホース２０５やポンプ２０２の内部、フィルター２０４に銀イオンを付着させることができ、水の腐敗を防ぐことができるので、より効果的に第２給水管１０１の内部や風呂水ポンプ２００の風呂水ホース２０５やポンプ２０２の内部、フィルター２０４を抗菌・殺菌することができる。
【０１４５】
また、Ｓ３０９やＳ４０６のホース洗浄を実施するタイミングは、本実施の形態に限らず、Ｓ７００の風呂水給水工程が行われた後で、洗濯機１の洗濯工程が終了するまでの間であればいつでも良い。また、給水装置２や給水装置２ａが単独で使用される場合においては、中水（例えば、風呂の残り水、噴水の循環水、プールの循環水、池の水、川の水など）を使用した後、給水装置２や給水装置２ａの動作を終了するまでに、Ｓ３０９やＳ４０６に示すような動作を行うことで、第２給水経路である第２給水管１０１や第２給水管１０１に接続されるホースなどを洗浄するようにすれば良い。
【０１４６】
また、例えば、本実施の形態である給水装置２ａを備えた洗濯機１において、第２給水経路である第２給水管１０１を通って供給される中水を、第１給水経路である第１給水管５２ａ、第３給水経路である第３給水管５２ｂを通して給水対象１０３に給水するようにしてもよい。この場合、三方弁１００を第１給水管５２ａと第２給水管１０１とを連結した状態に切り替える。次に、第１給水弁５０ａと第２給水弁５０ｂを開き、メイン給水弁５０を閉じておく。風呂水ポンプ２００を駆動させて、風呂水を供給するようにすればよい。
【０１４７】
このようにすることで、第１給水管５２ａに設けられている抗菌水生成手段である金属イオン水生成手段９０により、風呂水に金属イオン（銀イオン）を添加して、給水対象に給水することができる。すなわち、浄水（水道水）だけでなく、中水に金属イオン（銀イオン）を添加することもできる。よって、浄水に金属イオン（銀イオン）を添加し、第２給水源に金属イオン水（銀イオン水）を供給して、第２給水源にある水自身を殺菌・抗菌した後で、殺菌・抗菌された浄水以外の水を、第１給水管５２ａに通水し、金属イオン水生成手段９０により再度金属イオン（銀イオン）を添加して、金属イオン水の金属イオン濃度を高めることもできる。ただし、この場合、浄水以外の水が、金属イオン水生成手段９０に通水されることになるので、前述したように、金属イオンの溶出が妨げられるという場合があるため、金属イオン水生成手段９０には、浄水を通水させる方が好ましい。
【０１４８】
なお、給水装置２や給水装置２ａは、給水対象が水田であれば、水田に給水する給水装置として使用することもできる。この場合、第１給水管５２ａに流す水は、接続管５１を水道栓などにつないで得るようにし、第２給水管１０１に流す水は、用水路などから得るようにすればよい。用水路を流れる水には細菌などが含まれているため、配管内にてカビやヌメリが発生する可能性があるが、用水路から水を得た後に、金属イオン水を第２給水管１０１に流すことで、金属イオン水により殺菌・抗菌することができ、第２給水管１０１内にて、菌やカビやヌメリが発生する可能性を低減することができる。
【０１４９】
また、給水装置２や給水装置２ａは様々な設備（機器、装置など）に搭載することができる。例えば、消防車などの給水装置として使用することもできる。消防車に本発明の給水装置２を使用し、第１給水管５２ａ（第１ホース配管に相当する）に流す水は、接続管５１を消火栓につないで得るようにし、第２給水管１０１（第２ホース配管に相当する）に流す水は、河川や池から得るようにすればよい。このようにすれば、河川や池から得た水を放水した後に、消火栓から得た水に金属イオンを添加し、金属イオン水を第２給水管１０１や通水管１０２（放水配管に相当する）に流すことで、金属イオン水により殺菌・抗菌することができ、第２給水管１０１内や通水管１０２にて、菌やカビやヌメリが発生する可能性を低減することができる。
【０１５０】
また、例えば、給水対象が植物であれば、散水装置に搭載してもよい。この場合、第１給水管５２ａに流す水（水道水などの浄水）は、接続管５１を水道栓などにつないで得るようにし、第２給水管１０１に流す水は、雨水を貯留する雨水タンクから得るようにすればよい。そして、水道水や雨水は、通水管１０２を介して、植物に散水すればよい。なお、雨水タンクに溜められている雨水には細菌などが含まれているため、配管内にてカビやヌメリが発生する可能性があるが、金属イオン水を第２給水管１０１に流すことで、第２給水管１０１を殺菌・抗菌することができ、第２給水管１０１内にて、菌やカビやヌメリが発生する可能性を低減することができる。また、雨水タンクにまで金属イオン水を供給できるので、雨水タンクに貯留されている雨水を殺菌・抗菌することができ、雨水タンク自身も金属イオンにより、殺菌・抗菌することができる。なお、給水対象を植物に替えて、トイレとすれば、中水（雨水）と浄水（水道水などの上水）の両方を利用するトイレ浄化装置に応用することができる。タンク本体等の給水源ではなく、通水経路中に抗菌水生成装置を設置することにより、装置が簡略化され、かつ抗菌水生成装置の交換を容易に行うことが可能となる。
【０１５１】
以上の実施の形態及び実施例は一例に過ぎず、給水装置や噴水、洗濯機の具体的な構成、金属イオン溶出手段の具体的な形状や構成、取り付け位置などについても、すべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【０１５２】
【図１】本発明の実施の形態に係る給水装置の模式的な垂直断面図であり、正面側から見た図である。
【図２】本発明の実施の形態に係る金属イオン水生成手段９０の概略断面図であり、（Ａ）は水平概略断面図、（Ｂ）は垂直概略断面図である。
【図３】本発明の実施の形態に係る噴水の概略断面図である。
【図４】本発明の実施の形態に係る洗濯機の全体構成を示す垂直断面図である。
【図５】本発明の実施の形態に係る給水装置の変形例の模式的な垂直断面図であり、正面側から見た図である。
【図６】本発明の実施の形態に係る風呂水ポンプ２００の概略断面図である。
【図７】本発明の実施の形態に係る洗濯機の洗濯工程全体のフローチャートである。
【図８】本発明の実施の形態に係る洗濯機の風呂水抗菌工程における動作の流れを示すフローチャートである。
【図９】本発明の実施の形態に係る洗濯機の洗い工程における動作の流れを示すフローチャートである。
【図１０】本発明の実施の形態に係る洗濯機の風呂水給水工程における動作の流れを示すフローチャートである。
【図１１】本発明の実施の形態に係る洗濯機のすすぎ工程における動作の流れを示すフローチャートである。
【図１２】本発明の実施の形態に係る洗濯機の脱水工程における動作の流れを示すフローチャートである。
【図１３】本発明の実施の形態に係る洗濯機の洗い工程における動作の流れを示す第２のフローチャートである。
【図１４】本発明の実施の形態に係る洗濯機のすすぎ工程における動作の流れを示す第２のフローチャートである。
【符号の説明】
【０１５３】
１      洗濯機
２      給水装置
１０    外箱
１１    上面板
１２    バックパネル
１３    ベース
１４ａ、１４ｂ  脚部
１５    洗濯物投入口
１６    蓋
１７    ヒンジ部
１８    透孔
２０    水槽
２１    サスペンション部材
３０    洗濯槽
３１    脱水孔
３２    バランサ
３３    パルセータ
４０    駆動ユニット
４１    モータ
４２    クラッチ機構
４３    ブレーキ機構
４４    脱水軸
４５    パルセータ軸
５０    メイン給水弁
５０ａ  第１給水弁
５０ｂ  第２給水弁
５１    接続管
５２ａ  第１給水管
５２ｂ  第３給水管
５３    給水口
６０    排水ホース
６１    排水管
６２    排水弁
７０    導圧管
７１    水位スイッチ
８０    制御部
８１    操作／表示部
９０    金属イオン水生成手段
９１    ケース
９２ａ  銀電極
９２ｂ  銀電極
９３ａ  接続端子
９３ｂ  接続端子
９４    流入口
９５    流出口
１００  三方弁
１０１  第２給水管
１０２  通水管
１０３  給水対象
２００  風呂水ポンプ
２０１  筐体
２０２  ポンプ
２０３  吸い込み口
２０４  フィルター
２０５  風呂水ホース
３００  噴水
３０１  循環用ポンプ
３０２  貯留部
【図１】
0004451404.tif 000004
【図２】
0004451404.tif 000005
【図３】
0004451404.tif 000006
【図４】
0004451404.tif 000007
【図５】
0004451404.tif 000008
【図６】
0004451404.tif 000009
【図７】
0004451404.tif 000010
【図８】
0004451404.tif 000011
【図９】
0004451404.tif 000012
【図１０】
0004451404.tif 000013
【図１１】
0004451404.tif 000014
【図１２】
0004451404.tif 000015
【図１３】
0004451404.tif 000016
【図１４】
0004451404.tif 000017